(57)【要約】【課題】ネジ止めを必要とせず基板と板金シャーシを密着させて固定可能な基板固定構造、または、上記基板固定構造を有するプラズマテレビジョンの提供を目的とする。【解決手段】プリント基板を板金シャーシの所定の位置に固定する基板固定構造において、板金シャーシを切り起こして形成した複数の基部を、上記プリント基板に形成したスリットに貫通させて、さらに、上記貫通させた基部に形成した係止爪にて基板と板金シャーシを係止することにより基板と板金シャーシを固定する。【選択図】図２
2007150719.tif 000002
【特許請求の範囲】
【請求項１】
映像を表示するプラズマディスプレイパネルと、
音声を出力するスピーカと、
チューナにて受信したテレビジョン放送から映像信号と音声信号を生成し、上記映像信号を上記プラズマディスプレイパネルに出力し上記音声信号を上記スピーカに出力し、下面にグランドを有する第一の基板と、
上記第一の基板にて生成したアナログの映像信号をアナログ／ディジタル変換し、上記変換したディジタルの映像信号からＲＧＢの各階調を生成するディジタル処理回路を有する第二の基板と、
上記プラズマディスプレイと上記スピーカと上記第一の基板と上記第二の基板を収容すし、前方に映像を表示する開口部を備える筐体と、
上記第一の基板と上記第二の基板を固定する基板固定構造を有し、同第一の基板と第二の基板を上記筐体における内壁の前方に固定する板金シャーシとを具備するプラズマテレビジョンにおいて、
上記板金シャーシは、
上記板金シャーシを略コの字型に切り欠くとともに、上記切り欠いた内側部位を上方に屈曲して形成した第一の基部と、
上記第一の基部における屈曲部位から所定の距離だけ離れた部位にて上記板金シャーシと略平行になるよう屈曲し、上記基板を配置する平面を有する基板配置部と、
上記基板配置部の略先端部を同基板配置部から上方へ屈曲して形成した第二の基部と、  上記第二の基部の略中央を切り起こし、同第二の基部の厚み方向へ可撓性を有するよう形成した第一の係止爪と、
上記基板配置部を略コの字型に切り欠くとともに、上記切り欠いた内側部位を上方に屈曲して形成した第三の基部と、
上記第三の基部における屈曲部位から所定の距離だけ離れた部位にて上記板金シャーシと略平行になるよう屈曲して形成した第四の基部と、
上記第四の基部の略先端部を上記第四の基部から下方に曲げて形成した第五の基部と
上記第五の基部の略中央部を切り起こし、同第五の基部の厚み方向へ可撓性を有するよう形成した第二の係止爪とを具備し、
上記第一の係止爪は上記第二の基部にて同第一の係止爪の先端が同第二の基部から上記第一の基部側へ延設するよう切り起こされ、
上記第二の係止爪は上記第五の基部にて同第二の係止爪の先端が同第五の基部から上記第三の基部側へ延設するよう切り起こされ、
上記第二の基板は上記第二の基部が基板の上方から下方へ貫通する第一のスリットと第五の基部が上記第二の基板の下方から上方へと貫通する第二のスリットとを有し、
上記第二の基板は、同基板の第一のスリットに上記第二の基部を基板下方から上方に貫通し、また、同第二の基板の第二のスリットに上記第五の基部を基板上方から下方に貫通させることで、上記基板配置部に配置し、
上記第二の基部と上記第五の基部を上記基板の第一のスリットと第二のスリットにそれぞれ貫通させた後、上記第一の係止爪と第二の係止爪によって係止され、
上記第一の係止爪は上記第二の基部が上記基板の第一のスリットに下方から上方に貫通した際、上記係止爪の先端が上記基板の上面にて上記第一のスリットの縁部周辺と当接して同第二の基板を係止し、
上記第二の係止爪は上記第五の基部が上記基板の第二のスリットに上方から下方に貫通した際、上記第二の係止爪の先端が上記基板の下面にて上記第二のスリットの緑部周辺と当接して同第二の基板を係止し、
上記プリント基板の回路がプリントされない下面には、上記第一のスリットと第二のスリットとの間に同プリント基板のグランドを取るためのグランドパターンを有し、
上記第一の系止爪と第二の係止爪にて上記プリント基板の下面に配置されたグランドパターンを、上記基板配置部と当接するよう固定することを特徴とするプラズマテレビジョン。
【請求項２】
プリント基板を板金シャーシの所定の位置に固定する基板固定構造において、
上記板金シャーシを略コの字型に切り欠くとともに、上記切り欠いた内側部位を上方に屈曲して形成した第一の基部と、
上記第一の基部における屈曲部位から所定の距離だけ離れた部位にて上記板金シャーシと略平行になるよう屈曲し、上記基板を配置する平面を有する基板配置部と、
上記基板配置部の略先端部を同基板配置部から上方へ屈曲して形成した第二の基部と、  上記第二の基部の略中央を切り起こし、同第二の基部の厚み方向へ可撓性を有するよう形成した第一の係止爪と、
上記基板配置部を略コの字型に切り欠くとともに、上記切り欠いた内側部位を上方に屈曲して形成した第三の基部と、
上記第三の基部における屈曲部位から所定の距離だけ離れた部位にて上記板金シャーシと略平行になるよう屈曲して形成した第四の基部と、
上記第四の基部の略先端部を上記第四の基部から下方に曲げて形成した第五の基部と
上記第五の基部の略中央部を切り起こし、同第五の基部の厚み方向へ可撓性を有するよう形成した第二の係止爪とを具備し、
上記基板は上記第二の基部が基板の上方から下方へ貫通する第一のスリットと第五の基部が上記基板の下方から上方へと貫通する第二のスリットとを有し、
上記基板は、同基板の第一のスリットに上記第二の基部を基板下方から上方に貫通し、また、同基板の第二のスリットに上記第五の基部を基板上方から下方に貫通させることで、上記基板配置部に配置し、
上記第二の基部と上記第五の基部を上記基板の第一のスリットと第二のスリットにそれぞれ貫通させた後、上記第一の係止爪と第二の係止爪によって係止されることを特徴とする基板固定構造。
【請求項３】
上記第一の係止爪は上記第二の基部にて同第一の係止爪の先端が同第二の基部から上記第一の基部側へ延設するよう切り起こされ、
上記第二の係止爪は上記第五の基部にて同第二の係止爪の先端が同第五の基部から上記第三の基部側へ延設するよう切り起こされ、
上記第一の係止爪は上記第二の基部が上記基板の第一のスリットに下方から上方に貫通した際、上記係止爪の先端が上記基板の上面にて上記第一のスリットの縁部周辺と当接して同基板を係止し、
上記第二の係止爪は上記第五の基部が上記基板の第二のスリットに上方から下方に貫通した際、上記第二の係止爪の先端が上記基板の下面にて上記第二のスリットの緑部周辺と当接して同基板を係止することを特徴とする請求項２に記載の基板固定構造。
【請求項４】
上記プリント基板の素子が配置されない下面には、上記第一のスリットと第二のスリットとの間に同プリント基板のグランドを取るためのグランドパターンを有し、
上記第一の系止爪と第二の係止爪にて上記プリント基板の下面に配置されたグランドパターンを、上記基板配置部と当接するよう固定することを特徴とする請求項２または請求項３に記載の基板固定構造。
【発明の詳細な説明】
【技術分野】
【０００１】
本発明は、プラズマテレビジョン、および、基板固定構造に関し、特に、筐体と基板を固定する板金フレームの基板固定構造に関する。
【背景技術】
【０００２】
プリント基板を筐体に固定するために、従来基板を配置する凹部を有する板金シャーシを用いて、プリント基板と筐体とを固定していた。その際、プリント基板と板金シャーシは一度ネジ止めされ、さらに、板金シャーシと筐体とをネジ止めすることで、プリント基板の固定をおこなっていた。
【０００３】
また、プリント基板はプリント基板の内部を流れる電圧の基準となるグランドを必要とする。そのため、プリント基板にグランドを形成する方法として、プリント基板を板金シャーシにネジ止めする際に使用するネジ穴の周りにはんだを盛り、プリント基板を板金シャーシとネジ止めされることで、上記はんだと板金シャーシを密着させグランドを形成していた。
【０００４】
上記構造でのグランド形成は、ネジを用いて基板とシャーシを固定するため作業効果が悪く、また、はんだの高さが均一でないと、上記はんだと板金シャーシに隙間ができ接触不良の基となっていた。
【０００５】
そのため、近年ではプリント基板と板金シャーシをネジ止めせずに固定する方法として、板金シャーシの一部を切り起こして形成した凸部を、プリント基板に形成した開口部に貫通させ、上記貫通させた凸部を弾性力を有する金具にて固定する方法が知られている（例えば、特許文献１を参照。）。
【０００６】
また、ネジ止めしない固定方法として、板金シャーシに切り起こして形成した凸部にフロントパネル等の構成部品を固定する方法が知られている（例えば、特許文献２を参照。）。
【０００７】
【特許文献１】実開平１−６３１８３
【特許文献２】特開２０００−３２３８５７
【発明の開示】
【発明が解決しようとする課題】
【０００８】
上述した特許文献１の発明においては、次のような課題があった。つまり、上記弾性力を有する金具にて上記凸部を固定する方法はプリント基板と板金フレームを密着させるほどの力を有していないため、グランド部での接触不良が発生してしまう。
【０００９】
また、特許文献２の発明においては、次のような課題があった。つまり、上記した特許文献１の課題と同様に、プリント基板と板金フレームを密着させるほどの力を有していない。また、切り起こして形成した凸部を構成部品に形成した開口部に挿入することで、構成部品を固定しているため、衝撃に弱く固定した基板が簡単に外れてしまう。
【００１０】
本発明は上記課題にかんがみてなされたもので、基板と板金シャーシを固定するためのネジの本数を少なくしつつ、簡易な構造で基板とシャーシを固定可能な基板固定構造、および、上記基板固定構造を有するプラズマテレビジョンの提供を目的とする。
【課題を解決するための手段】
【００１１】
上記課題を解決するために、請求項１にかかる発明は、映像を表示するプラズマディスプレイパネルと、音声を出力するスピーカと、チューナにて受信したテレビジョン放送から映像信号と音声信号を生成し、上記映像信号を上記プラズマディスプレイパネルに出力し上記音声信号を上記スピーカに出力し、下面にグランドを有する第一の基板と、上記第一の基板にて生成したアナログの映像信号をアナログ／ディジタル変換し、上記変換したディジタルの映像信号からＲＧＢの各階調を生成するディジタル処理回路を有する第二の基板と、上記プラズマディスプレイと上記スピーカと上記第一の基板と上記第二の基板を収容すし、前方に映像を表示する開口部を備える筐体と、上記第一の基板と上記第二の基板を配置する凹部を有し、同第一の基板と第二の基板を上記筐体における内壁の前方に固定する板金シャーシとを具備し、上記板金シャーシは、同板金シャーシの所定の位置に上記第二の基板を固定する基板固定構造とを有するプラズマテレビジョンにおいて、
上記板金シャーシは、上記板金シャーシを略コの字型に切り欠くとともに、上記切り欠いた内側部位を上方に屈曲して形成した第一の基部と、上記第一の基部における屈曲部位から所定の距離だけ離れた部位にて上記板金シャーシと略平行になるよう屈曲し、上記基板を配置する平面を有する基板配置部と、上記基板配置部の略先端部を同基板配置部から上方へ屈曲して形成した第二の基部と、上記第二の基部の略中央を切り起こし、同第二の基部の厚み方向へ可撓性を有するよう形成した第一の係止爪と、上記基板配置部を略コの字型に切り欠くとともに、上記切り欠いた内側部位を上方に屈曲して形成した第三の基部と、上記第三の基部における屈曲部位から所定の距離だけ離れた部位にて上記板金シャーシと略平行になるよう屈曲して形成した第四の基部と、上記第四の基部の略先端部を上記第四の基部から下方に曲げて形成した第五の基部と、上記第五の基部の略中央部を切り起こし、同第五の基部の厚み方向へ可撓性を有するよう形成した第二の係止爪とを具備し、上記第一の係止爪は上記第二の基部にて同第一の係止爪の先端が同第二の基部から上記第一の基部側へ延設するよう切り起こされ、上記第二の係止爪は上記第五の基部にて同第二の係止爪の先端が同第五の基部から上記第三の基部側へ延設するよう切り起こされ、上記第二の基板は上記第二の基部が基板の上方から下方へ貫通する第一のスリットと第五の基部が上記第二の基板の下方から上方へと貫通する第二のスリットとを有し、上記第二の基板は、同基板の第一のスリットに上記第二の基部を基板下方から上方に貫通し、また、同第二の基板の第二のスリットに上記第五の基部を基板上方から下方に貫通させることで、上記基板配置部に配置し、上記第二の基部と上記第五の基部を上記基板の第一のスリットと第二のスリットにそれぞれ貫通させた後、上記第一の係止爪と第二の係止爪によって係止され、上記第一の係止爪は上記第二の基部が上記基板の第一のスリットに下方から上方に貫通した際、上記係止爪の先端が上記基板の上面にて上記第一のスリットの縁部周辺と当接して同第二の基板を係止し、上記第二の係止爪は上記第五の基部が上記基板の第二のスリットに上方から下方に貫通した際、上記第二の係止爪の先端が上記基板の下面にて上記第二のスリットの緑部周辺と当接して同第二の基板を係止し、上記プリント基板の素子が配置されない下面には、上記第一のスリットと第二のスリットとの間に同プリント基板のグランドを取るためのグランドパターンを有し、上記第一の系止爪と第二の係止爪にて上記プリント基板の下面に配置されたグランドパターンを、上記基板配置部と当接するよう固定する構成である。
【００１２】
すなわち、プラズマディスプレイパネルと、スピーカと、第一の基板と、第二の基板と、筐体と、板金シャーシとを具備するプラズマテレビジョンであって、上記板金シャーシは、同板金シャーシの所定の位置に上記第二の基板を固定する基板固定構造とを有する。
【００１３】
上記板金シャーシは、上記板金シャーシを略コの字型に切り欠くとともに、上記切り欠いた内側部位を上方に屈曲して形成した第一の基部と、上記第一の基部における屈曲部位から所定の距離だけ離れた部位にて上記板金シャーシと略平行になるよう屈曲し、上記基板を配置する平面を有する基板配置部と、上記基板配置部の略先端部を同基板配置部から上方へ屈曲して形成した第二の基部と、上記第二の基部の略中央を切り起こし、同第二の基部の厚み方向へ可撓性を有するよう形成した第一の係止爪と、上記基板配置部を略コの字型に切り欠くとともに、上記切り欠いた内側部位を上方に屈曲して形成した第三の基部と、上記第三の基部における屈曲部位から所定の距離だけ離れた部位にて上記板金シャーシと略平行になるよう屈曲して形成した第四の基部と、上記第四の基部の略先端部を上記第四の基部から下方に曲げて形成した第五の基部と、上記第五の基部の略中央部を切り起こし、同第五の基部の厚み方向へ可撓性を有するよう形成した第二の係止爪とを有する。
【００１４】
また、上記第一の係止爪は上記第二の基部にて同第一の係止爪の先端が同第二の基部から上記第一の基部側へ延設するよう切り起こされた構造である。また、上記第二の係止爪は上記第五の基部にて同第二の係止爪の先端が同第五の基部から上記第三の基部側へ延設するよう切り起こされた構造である。
【００１５】
また、上記第二の基板は上記第二の基部が基板の上方から下方へ貫通する第一のスリットと第五の基部が上記第二の基板の下方から上方へと貫通する第二のスリットとを有している。
【００１６】
上記基板固定構造にて上記第二の基板を固定する方法は、まず、同基板の第一のスリットに上記第二の基部を基板下方から上方に貫通し、また、同第二の基板の第二のスリットに上記第五の基部を基板上方から下方に貫通させることで、上記基板配置部に配置する。
【００１７】
ことのき、上記第一の係止爪は上記第二の基部が上記基板の第一のスリットに下方から上方に貫通した際、上記係止爪の先端が上記基板の上面にて上記第一のスリットの縁部周辺と当接し、上記第二の係止爪は上記第五の基部が上記基板の第二のスリットに上方から下方に貫通した際、上記第二の係止爪の先端が上記基板の下面にて上記第二のスリットの緑部周辺と当接する。このため、上記第二の基板を上記基板固定構造を介して板金シャーシに固定することができる。
【００１８】
また、上記プリント基板の素子が配置されない下面には、上記第一のスリットと第二のスリットとの間に同プリント基板のグランドを取るためのグランドパターンを有している。そのため、上記第一の系止爪と第二の係止爪にて上記プリント基板の下面に配置されたグランドパターンを、上記基板配置部と当接するよう固定することで上記第二の基板のグランドパターンをアースと接続することが可能となる。
【００１９】
また、請求項２にかかる発明は、プリント基板を板金シャーシの所定の位置に固定する基板固定構造において、上記板金シャーシを略コの字型に切り欠くとともに、上記切り欠いた内側部位を上方に屈曲して形成した第一の基部と、上記第一の基部における屈曲部位から所定の距離だけ離れた部位にて上記板金シャーシと略平行になるよう屈曲し、上記基板を配置する平面を有する基板配置部と、上記基板配置部の略先端部を同基板配置部から上方へ屈曲して形成した第二の基部と、上記第二の基部の略中央を切り起こし、同第二の基部の厚み方向へ可撓性を有するよう形成した第一の係止爪と、上記基板配置部を略コの字型に切り欠くとともに、上記切り欠いた内側部位を上方に屈曲して形成した第三の基部と、上記第三の基部における屈曲部位から所定の距離だけ離れた部位にて上記板金シャーシと略平行になるよう屈曲して形成した第四の基部と、上記第四の基部の略先端部を上記第四の基部から下方に曲げて形成した第五の基部と、上記第五の基部の略中央部を切り起こし、同第五の基部の厚み方向へ可撓性を有するよう形成した第二の係止爪とを具備し、上記基板は上記第二の基部が基板の上方から下方へ貫通する第一のスリットと第五の基部が上記基板の下方から上方へと貫通する第二のスリットとを有し、上記基板は、同基板の第一のスリットに上記第二の基部を基板下方から上方に貫通し、また、同基板の第二のスリットに上記第五の基部を基板上方から下方に貫通させることで、上記基板配置部に配置し、上記第二の基部と上記第五の基部を上記基板の第一のスリットと第二のスリットにそれぞれ貫通させた後、上記第一の係止爪と第二の係止爪によって係止される構成である。
【００２０】
すなわち、プリント基板を板金シャーシの所定の位置に固定する基板固定構造において、上記基板固定構造は、上記板金シャーシを略コの字型に切り欠くとともに、上記切り欠いた内側部位を上方に屈曲して形成した第一の基部と、上記第一の基部における屈曲部位から所定の距離だけ離れた部位にて上記板金シャーシと略平行になるよう屈曲し、上記基板を配置する平面を有する基板配置部と、上記基板配置部の略先端部を同基板配置部から上方へ屈曲して形成した第二の基部と、上記第二の基部の略中央を切り起こし、同第二の基部の厚み方向へ可撓性を有するよう形成した第一の係止爪と、上記基板配置部を略コの字型に切り欠くとともに、上記切り欠いた内側部位を上方に屈曲して形成した第三の基部と、上記第三の基部における屈曲部位から所定の距離だけ離れた部位にて上記板金シャーシと略平行になるよう屈曲して形成した第四の基部と、上記第四の基部の略先端部を上記第四の基部から下方に曲げて形成した第五の基部と、上記第五の基部の略中央部を切り起こし、同第五の基部の厚み方向へ可撓性を有するよう形成した第二の係止爪とを有する。
【００２１】
また、上記基板は上記第二の基部が基板の上方から下方へ貫通する第一のスリットと第五の基部が上記基板の下方から上方へと貫通する第二のスリットとを有し、上記基板は、同基板の第一のスリットに上記第二の基部を基板下方から上方に貫通し、また、同基板の第二のスリットに上記第五の基部を基板上方から下方に貫通させることで、上記基板配置部に配置し、上記第二の基部と上記第五の基部を上記基板の第一のスリットと第二のスリットにそれぞれ貫通させた後、上記第一の係止爪と第二の係止爪によって係止される。
【発明の効果】
【００２２】
以上説明したように請求項１、請求項２にかかる発明は、簡易な構造でシャーシに基板を固定するためのネジの本数を少なくすることができる。
また、請求項１、請求項３にかかる発明は、簡易な構造で基板とシャーシとを固定するので、基板とシャーシとの固定強度を高めることができる。
また、請求項１、請求項４にかかる発明は、基板にグランドパターンを自由に配置することができるので、基板を電気的なノイズに対して強くすることができる。
【発明を実施するための最良の形態】
【００２３】
以下の順序に従い本発明の一実施形態であるプラズマテレビジョンを説明する。
（１）プラズマテレビジョンの構成
（２）板金シャーシの構成
（３）基板固定方法
（４）実施例
（５）まとめ
【００２４】
（１）プラズマテレビジョンの構成
図６は本発明の一実施形態であるプラズマテレビジョン１０の斜視図である。図より、プラズマテレビジョン１０は、プラズマディスプレイパネル２と、スピーカ３ａ、３ｂと、第一の基板４と、第二の基板５と、第三の基板６と、第四の基板７と、第五の基板８と、筐体１と、板金シャーシ１１と、補強フレーム９ａ、９ｂとから構成されている。
【００２５】
プラズマディスプレイパネル２は、内部にマトリクス状に配置した複数の画素を有し、上記各画素は電圧を印加することで発光する発光物質が塗布されている。また、上記各画素は、水平方向に伸びて垂直方向に配置される行電極と、垂直方向に伸びて水平方向に配置される列電極とに挟まれている。そのため、上記行電極と列電極の組合わせにて各画素が特定されるとともに、行電極と列電極にて電圧を発生し上記発生させた電圧を印加することにより各画素の発光を行う構造となっている。
【００２６】
上記第一の基板４、第二の基板５、第三の基板６、第四の基板７、第五の基板８は、図示しないアンテナが受信したテレビジョン放送を所定の映像と音声に変換するための回路が配置されている。図７は上記第一の基板４〜第五の基板８の基板に配置される回路のブロック構成図である。
【００２７】
図より、第一の基板４には上記図示しないアンテナが受信したテレビジョン放送を基に映像信号と音声信号を生成するチューナ回路４ｂや、上記生成した映像信号や音声信号を後述するゲート回路６ａやソース回路８ａ、さらにはスピーカ３ａ、３ｂに出力するクロマＩＣ回路４ｃを有する映像音声生成回路４ａが配置されている。
【００２８】
第二の基板５は、上記第一の基板４が生成した映像信号をアナログ／ディジタル変換した後、所定の信号処理を行うディジタル処理回路５ａが配置されている。
【００２９】
第三の基板６には、上記プラズマディスプレイパネル２が有する行電極に駆動信号を出力するゲート回路６ａが配置されている。
【００３０】
第四の基板７には、外部からの電源（例えば商用電源）を基に、上記プラズマテレビジョン１０を構成する各構成要素に必要な電源を供給する電源回路７ａが配置されている。
【００３１】
第五の基板８には、プラズマディスプレイパネル２が有する列電極に駆動信号を出力するソース回路８ａが配置されている。
【００３２】
スピーカ３ａ、３ｂは、上記チューナ回路４ｂが生成した音声信号を受け取り、上記音声信号を所定の大きさに増幅した後、空気振動に変換することで音声を出力する。
【００３３】
上記基板構成において、第一の基板にプリントされたチューナ回路４ｂは、図示しないアンテナが受信したテレビジョン放送から映像信号と音声信号を生成し、上記生成した音声信号をスピーカ３ａ、３ｂに出力し、上記生成した映像信号を、第二の基板にプリントされたディジタル処理回路５ａに出力する。
【００３４】
ディジタル処理回路５ａでは、上記映像信号にアナログ／ディジタル変換を行った後、プラズマディスプレイパネル２に表示する映像のＲＧＢの各階調に対応する映像データを生成する。さらに、上記生成したＲＧＢの各階調に対応する映像データに信号処理を行い第一の基板４に出力する。
【００３５】
第一の基板では、上記出力された上記映像データを第三の基板６に配置されたゲート回路６ａと第五の基板に配置されたソース回路８ａに出力する。
【００３６】
ゲート回路６ａでは、入力された映像データに基づいてプラズマディスプレイパネル２の行電極を駆動する駆動信号を生成し、所定のタイミングで行電極で印加する。また、ソース回路８ａでは、同様にプラズマディスプレイパネル２の列電極に出力する駆動信号を生成し列電極に印加する。
【００３７】
プラズマディスプレイパネル２では、上記列電極に印加された駆動信号を基に、上記行電極に印加された駆動信号をスイッチとして各画素を水平走査で発光し、一画面単位での映像を表示する。
【００３８】
また、プラズマテレビジョンの筐体１は、フロントキャビネット１ａとバックキャビネット１ｂとから構成され、プラズマテレビジョン１０を構成する構成要素を収容する。具体的には、フロントキャビネット１ａに形成された開口部がプラズマディスプレイパネル２の表示部と一致するようフロントキャビネット１ａとプラズマディスプレイパネル２をネジ止めする。
【００３９】
次に、補強のための補強フレーム９ａ、９ｂを、フロントキャビネット１ａにネジ止めする。さらに、各基板を固定した板金シャーシ１１を補強フレーム９ａ、９ｂとネジ止めする。次に、スピーカ３ａ、３ｂをフロントキャビネット１ａの内壁の両端に固定する。次に、各基板をプラズマディスプレイパネル２の背面に板金シャーシを利用して固定する。図１より、第三の基板６と第四の基板７と第五の基板８はプラズマディスプレイパネル２の背面上部にネジ止めされる。さらに、第一の基板４と第二の基板５を板金シャーシ１１を介して、補強フレーム９ａ、９ｂにネジ止めする。最後にバックキャビネット１ｂをフロントキャビネット１ａとネジ止めすることで、プラズマテレビジョン１０を構成する各要素を筐体１に収容する。
【００４０】
（２）板金シャーシの構成
上記構成において、板金シャーシ１１は第一の基板４と第二の基板５を筐体１に固定するために使用される。図１は本発明の一実施形態である基板固定構造を有する板金シャーシ１１の図である。図より、板金シャーシ１１の本体は、第一の基板４と第二の基板５とを配置する凹部１２と両縁に補強フレーム９ａ、９ｂとネジ止めするためのネジ穴を有するシャーシ固定部１３ａ、１３ｂを有する構造である。
【００４１】
板金シャーシ１１の凹部１２には、第一の基板４をネジを用いずに固定するための基板固定構造１４ａ１と１４ａ２が、第二の基板５を固定するための基板固定構造１４ｂ１、１４ｂ２がそれぞれ形成されている。さらに、上記各基板固定構造の反対側にネジを用いて第一の基板４と第二の基板５を固定するための固定台座１１ａ１、１１ａ２、１１ｂ１、１１ｂ２がそれぞれ形成されている。第一の基板４を固定する基板固定構造１４ａ１、１４ａ２と、第二の基板を固定する基板固定構造１４ｂ１、１４ｂ２は、基板の大きさに対応して大きさこそ異なるが、その構成は同一のものであるため、以下第二の基板５を固定する基板固定構造１４ｂ１、１４ｂ２のみ説明を行う。
【００４２】
基板固定構造１４ｂ１、１４ｂ２は、第一の基部１５と、第二の基部１７と、第三の基部２０と、第四の基部２１と、第五の基部２２と、基板配置部１６と、第一の係止爪１８と、第二の係止爪２３とを有している。上記各部は板金シャーシ１１の凹部１２を切り欠いて形成した内側部位に曲げ等の加工をすることで形成される。以下に各部の形成方法を説明する。
【００４３】
図２は基板固定構造１４ｂ１の拡大図である。図より、第一の基部１５は板金シャーシ１１の凹部１２を略コの字型に切り欠くとともに、上記切り欠いた内側部位を上方に屈曲して形成する。
【００４４】
基板配置部１６は、第一の基部１５における屈曲部位から所定の距離だけ離れた部位にて板金シャーシ１１と略平行になるよう屈曲して形成される。また、基板配置部１６は、板金シャーシ１１を切り欠いた幅分だけの平面を有し、第二の基板５を上記平面に配置可能とする構造である。
【００４５】
第二の基部１７は、基板配置部１６の略先端部を基板配置部１６から上方へ屈曲して形成する。このとき基板配置部１６の第一の基部１５から上記略先端部までの長さは配置する基板の大きさによって左右される。
【００４６】
第一の係止爪１８は、第二の基部１７の略中央を切り起こし、第二の基部１７の厚み方向へ可撓性を有するよう形成される。そのため、第一の係止爪１８は、可撓性を有するために第二の基部１７にて第一の係止爪１８の先端１９が第二の基部１７から第一の基部１５側へ延設するよう切り起こされている。
【００４７】
第三の基部２０は、基板配置部１６を略コの字型に切り欠くとともに、上記切り欠いた内側部位を上方に屈曲して形成する。後述するように、第二の基板５を第二の基部１７と第三の基部２０との間に配置する。そのため、第三の基部２０を形成する位置は、第二の基板１７から第三の基板２０までの長さＬが配置する第二の基板５の長さ以上である必要がある。
【００４８】
第四の基部２１は、第三の基部２０における屈曲部位から所定の距離だけ離れた部位にて板金シャーシ１１と略平行になるよう屈曲して形成する。
【００４９】
第五の基部２２は、第四の基部２１の略先端部を第四の基部２１から下方に曲げて形成する。このとき、第五の基部２２を形成する位置は、後述するように第二の基板５に形成される各スリット２５ａ、２５ｂ、２６ａ、２６ｂの位置によって決定される。
【００５０】
第二の係止爪２３は、第五の基部２２の略中央部を切り起こし、第五の基部２２の厚み方向へ可撓性を有するよう形成する。このため、第二の係止爪２３は第五の基部２２にて第二の係止爪２３の先端２４が第五の基部２２から第三の基部２０側へ延設するよう切り起こされている。
【００５１】
図３は基板固定構造１４ｂ１で固定させる第二の基板５の構成図である。図より、本発明の一実施形態である第一の基板４と第二の基板５は、略方形の第一のスリット２５ａ、２５ｂと第二のスリット２６ａ、２６ｂとを一方の先端に有し、向かい合う端に固定用のネジが貫通する貫通穴２７ａ、２７ｂを有する構造である。また、第二の基板５は素子が配置されない背面の、第一のスリット２５ａ、２５ｂと第二のスリット２６ａ、２６ｂとの略中間部に後述するグランドパターン２８ａ、２８ｂを有する。
【００５２】
（３）基板固定方法
本発明の一実施形態での基板固定構造を図４、図５を用いて説明する。図４より、第二の基板５の先端部を、第二の基部１７の上方から第五の基部２２の下方へ挿入し、第二の基板５の第一のスリット２５ａ、２５ｂに第二の基部１７を基板下方から上方に貫通させる。次に、第四の基部２１付近を指で掴み、第二のスリット２６ａ、２６ｂに第五の基部２２を基板上方から下方に貫通させる。これにより、第二の基板５を基板配置部１６に配置する。
【００５３】
次に図５より、第二の基部１７に形成された第一の係止爪１８の先端２４が第一のスリット２５ａ、２５ｂを貫通するよう第二の基板５を下方に押し入れる。同様に、第五の基部２２に形成された第二の係止爪２３の先端２９が第二のスリット２６ａ、２６ｂから貫通するよう基板を上方に押し入れる。第一の係止爪１８と第二の係止爪２３は、第二の基部１７と第五の基部２２の厚み方向に可撓性を有するため、上記各スリット２５ａ、２５ｂ、２６ａ、２６ｂを容易に貫通するとともに、各爪２３、２８がスリット２５ａ、２５ｂ、２６ａ、２６ｂを貫通した後、各爪の先端２４、２９は厚み方向の撓みを復元する。
【００５４】
この時、第一の係止爪１８の先端１９が第二の基板５の上面にて第一のスリット２５ａ、２５ｂの縁部周辺と当接して第二の基板５を係止する。同様に、第二の係止爪２３の先端２４が第二の基板５の下面にて第二のスリット２６ａ、２６ｂの緑部周辺と当接して第二の基板５を係止する。このようにして、第二の基板５は、基板固定構造１４ｂ１、１４ｂ２を介して板金シャーシ１１に固定される。
【００５５】
（４）実施例１
上記構成により基板固定構造１４ｂ１、１４ｂ２は第二の基板５を板金シャーシ１１に固定するが、第二の基板５の第一のスリット２５ａ、２５ｂと第二のスリット２６ａ、２６ｂの周辺は板金シャーシ１１とをネジ止めしないため、基板のネジ穴の周囲にグランドパターンを配置する必要がない。このため、基板にグランドパターンを自由に配置することが可能である。このことは、グランドパターンを大きく取ることを可能とし、基板を電気的なノイズに対して強くすることができる。
【００５６】
図３より、第二の基板５は、素子が配置されない下面に第一のスリット２５ａ、２５ｂと第二のスリット２６ａ、２６ｂとの間にグランドを取るためのグランドパターン２８ａ、２８ｂを有し、貫通穴２７ａ、２７ｂの周囲にグランドパターン２８ｃ、２８ｄを有する構造である。
【００５７】
そのため図５より、基板固定構造１４ｂ１、１４ｂ２にて第二の基板５の下面に配置されたグランドパターン２８ａ、２８ｂは、基板配置部１６と当接するよう固定されアースを取る。また、第二の基板５の貫通穴２７ａ、２７ｂを用いて固定台座１１ｂ１、１１ｂ２とネジ止めすることによりアースを取る。これにより、基板を固定するためのネジの数を減らしつつ、第二の基板５の四隅にグランドパターン２８ａ、２８ｂ、２８ｃ、２８ｄを用いてアースを取ることが可能となる。
【００５８】
（５）まとめ
プリント基板を板金シャーシの所定の位置に固定する基板固定構造において、板金シャーシを切り起こして形成した複数の基部を、基板に形成したスリットに貫通させて、さらに、上記貫通させた基部に形成した係止爪にて基板と板金シャーシを係止することによりネジを使用しなくても基板と板金シャーシを固定する。
【００５９】
請求項３に記載の発明は、請求項２に記載の液晶テレビジョンであって、上記第一の係止爪は上記第二の基部にて同第一の係止爪の先端が同第二の基部から上記第一の基部側へ延設するよう切り起こされ、上記第二の係止爪は上記第五の基部にて同第二の係止爪の先端が同第五の基部から上記第三の基部側へ延設するよう切り起こされ、上記第一の係止爪は上記第二の基部が上記基板の第一のスリットに下方から上方に貫通した際、上記係止爪の先端が上記基板の上面にて上記第一のスリットの縁部周辺と当接して同基板を係止し、上記第二の係止爪は上記第五の基部が上記基板の第二のスリットに上方から下方に貫通した際、上記第二の係止爪の先端が上記基板の下面にて上記第二のスリットの緑部周辺と当接して同基板を係止する構成である。
【００６０】
すなわち、請求項２に記載の液晶テレビジョンであって、上記第一の係止爪は上記第二の基部が上記基板の第一のスリットに下方から上方に貫通した際、上記係止爪の先端が上記基板の上面にて上記第一のスリットの縁部周辺と当接して同基板を係止し、上記第二の係止爪は上記第五の基部が上記基板の第二のスリットに上方から下方に貫通した際、上記第二の係止爪の先端が上記基板の下面にて上記第二のスリットの緑部周辺と当接して同基板を係止する。
【００６１】
請求項４に記載された発明は、請求項２または請求項３のいずれかに記載の液晶テレビジョンであって、上記プリント基板の素子が配置されない下面には、上記第一のスリットと第二のスリットとの間に同プリント基板のグランドを取るためのグランドパターンを有し、上記第一の系止爪と第二の係止爪にて上記プリント基板の下面に配置されたグランドパターンを、上記基板配置部と当接するよう固定する構成である。
【００６２】
すなわち、請求項２または請求項３のいずれかに記載の液晶テレビジョンであって、上記プリント基板の素子が配置されない下面には、上記第一のスリットと第二のスリットとの間に同プリント基板のグランドを取るためのグランドパターンを有する。そうして、上記第一の系止爪と第二の係止爪にて上記プリント基板の下面に配置されたグランドパターンを、上記基板配置部と当接するよう固定する。
【００６３】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００６４】
【図１】基板固定構造を有する板金シャーシの図である。
【図２】基板固定構造の拡大図である。
【図３】基板固定構造にて固定される基板の図である。
【図４】基板固定構造に基板を固定する方法を示した図である。
【図５】基板固定構造に基板を固定する方法を示した図である。
【図６】プラズマテレビジョンの斜視図である。
【図７】基板に配置される回路のブロック構成図である。
【符号の説明】
【００６５】
１…筐体
１ａ…フロントキャビネット
１ｂ…バックキャビネット
２…プラズマディスプレイパネル
３ａ、３ｂ…スピーカ
４…第一の基板
４ａ…映像音声生成回路
５…第二の基板
５ａ…ディジタル処理回路
６…第三の基板
６ａ…ゲート回路
７…第四の基板
７ａ…電源回路
８…第五の基板
８ａ…ソース回路
９ａ、９ｂ…補強フレーム
１０…プラズマテレビジョン
１１…板金シャーシ
１１ａ１、１１ａ２、１１ｂ１、１１ｂ２…固定台座
１２…凹部
１３ａ、１３ｂ…シャーシ固定部
１４ａ１、１４ａ２、１４ｂ１、１４ｂ２…基板固定構造
１５…第一の基部
１６…基板配置部
１７…第二の基部
１８…第一の係止爪
１９…第一の係止爪の先端
２０…第三の基部
２１…第四の基部
２２…第五の基部
２３…第二の係止爪
２４…第二の係止爪の先端
２５ａ、２５ｂ…第一のスリット
２６ａ、２６ｂ…第二のスリット
２７ａ、２７ｂ…貫通穴
２８ａ、２８ｂ、２８ｃ、２８ｄ…グランドパターン
【図１】
2007150719.tif 000003
【図２】
2007150719.tif 000004
【図３】
2007150719.tif 000005
【図４】
2007150719.tif 000006
【図５】
2007150719.tif 000007
【図６】
2007150719.tif 000008
【図７】
2007150719.tif 000009